(57)【要約】      （修正有）【課題】反射表示、透過表示の双方において、明るく、良好なコントラスト比が得られ、特に、上下方向の広角視野化を図ることのできる液晶表示装置を提供する。【解決手段】液晶表示装置は、視認側から、第１偏光板２、第１位相差板３、液晶表示パネル１、第２位相差板８、第３位相差板９、第２偏光板１０、およびバックライト１１の順に配置される。液晶表示パネル１のツイスト角を２３０°〜２５０°、位相差値を８００〜９２０ｎｍ、第１位相差板３は液晶性高分子層からなりツイスト角を１７０〜１９０°、位相差値を６９０〜７８０ｎｍ、第２位相差板８の位相差値を１３０〜１５０ｎｍ、第３位相差板９の位相差値を５００〜６００ｎｍとする。また、第１偏光板２、第１位相差板３、第２位相差板８、第３位相差板９、第２偏光板１０は、配向膜の配向軸を基準に配置角度を設定し配置する。【選択図】図１
2005024738.tif 000002
【特許請求の範囲】
【請求項１】
視認側から、第１偏光板、第１位相差板、液晶表示パネル、第２位相差板、第３位相差板、第２偏光板、およびバックライトを順に配置させてなり、前記液晶表示パネルは、配向膜がそれぞれ配設された２枚の透明基板間に、２３０°〜２５０°のツイスト角で、位相差値（ΔｎＬＣ・ｄＬＣ）を８００〜９２０ｎｍに設定された液晶層を有し、前記液晶層の反視認側には半透過反射層が配置されている液晶表示装置において、
前記第１位相差板は液晶性高分子層からなるツイスト角が１７０〜１９０°、位相差値（ΔｎＦ１・ｄＦ１）が６９０〜７８０ｎｍとされており、
前記液晶表示パネルの視認側に配置された配向膜の配向軸を基準とした際に、視認側から観察して反時計回りの、前記第１偏光板の偏光軸の軸角をθ１、第１位相差板の液晶性高分子層の反視認側の配向軸の軸角をθ２とした場合の前記θ１が１４５〜１７５°、前記θ２が７５〜１０５°とされており、
また、前記液晶表示パネルの反視認側に配置された配向膜の配向軸を基準とした際に、視認側から観察して反時計回りの、前記第２位相差板の延伸軸の軸角をθ３、第３位相差板の延伸軸の軸角をθ４、第２偏光板の偏光軸の軸角をθ５とした場合の前記θ３が２５〜７５°、前記θ４が１５５〜２０５°、前記θ５が１６０〜２１０°とされており、
さらに、前記第２位相差板の位相差値（ΔｎＦ２・ｄＦ２）が１３０〜１５０ｎｍ、前記第３位相差板の位相差値（ΔｎＦ３・ｄＦ３）が５００〜６００ｎｍとされていることを特徴とする液晶表示装置。
【請求項２】
前記第１位相差板が側鎖型液晶性高分子層からなる位相差板である請求項１に記載の液晶表示装置。
【発明の詳細な説明】
【０００１】
【発明の属する技術分野】
本発明は液晶表示装置に係り、特に、半透過反射型の液晶表示装置であって、反射表示時、透過表示時の双方において、明るく、良好なコントラストを得るための技術に関するものである。
【０００２】
【従来の技術】
従来より、外光を利用して表示を行なう反射領域とバックライトユニットからの照射光を利用して表示を行なう透過領域との双方を有する構成の半透過反射型の液晶表示装置は、携帯電話やＰＤＡ等の表示装置として広く利用されている。
【０００３】
この半透過反射型の液晶表示装置は、ハーフミラーとして作用する半透過反射層を備えており、多くの場合、半透過反射層は液晶表示パネルの内面に設けられている。
【０００４】
半透過反射型の液晶表示装置において反射特性は、半透過反射層よりも反視認側に配設されたリア側部材とは独立な関係にあり、半透過反射層よりも視認側のフロント側部材によってのみ決定される。これに対し、透過特性は、フロント側部材とリア側部材の双方に依存することとなる。
【０００５】
そして、同一駆動条件で、反射および透過の両特性を良好に保つためには、反射および透過の過程での黒の補償状態を高いレベル（低輝度／光無彩色性）で揃える必要がある。すなわち、視認側（フロント側）から入った光が反射層で示す偏光状態と、反視認側（リア側）に配設されたバックライトから出射された光が半透過層で示す偏光状態とを略同一にする必要がある。
【０００６】
【特許文献１】
特開２００２−１０７７２７号公報
【０００７】
【発明が解決しようとする課題】
反射状態で理想的な黒を得るためには、反射層で全可視領域において円偏光とすればよいが、このようにすると、透過状態において良好な白表示を得ることができなかった。
【０００８】
これは、液晶の屈折率異方性（ΔｎＬＣ）および液晶の厚み（ｄＬＣ）の積である位相差値（ΔｎＬＣ・ｄＬＣ）が小さいために起こる問題である。しかしながら、位相差値（ΔｎＬＣ・ｄＬＣ）を単純に大きくしてしまうと、黒の補償の低下、白の着色、視野角依存性の増大などの種々の弊害が生じる虞がある。
【０００９】
そこで、本発明はこのような点に鑑み、反射状態および透過状態の双方において、明るく、良好なコントラスト比が得られ、反射状態と透過状態の視認性のバランスを良好にすることのできる液晶表示装置を提供することを目的としている。
【００１０】
【課題を解決するための手段】
前述した目的を達成するため、本発明の請求項１に記載の液晶表示装置の特徴は、視認側から、第１偏光板、第１位相差板、液晶表示パネル、第２位相差板、第３位相差板、第２偏光板、およびバックライトを順に配置させてなり、前記液晶表示パネルは、配向膜がそれぞれ配設された２枚の透明基板間に、２３０°〜２５０°のツイスト角で、位相差値（ΔｎＬＣ・ｄＬＣ）を８００〜９２０ｎｍに設定された液晶層を有し、前記液晶層の反視認側には半透過反射層が配置されている液晶表示装置において、前記第１位相差板は液晶性高分子層からなるツイスト角が１７０〜１９０°、位相差値（ΔｎＦ１・ｄＦ１）が６９０〜７８０ｎｍとされており、前記液晶表示パネルの視認側に配置された配向膜の配向軸を基準とした際に、視認側から観察して反時計回りの、前記第１偏光板の偏光軸の軸角をθ１、第１位相差板の液晶性高分子層の反視認側の配向軸の軸角をθ２とした場合の前記θ１が１４５〜１７５°、前記θ２が７５〜１０５°とされており、また、前記液晶表示パネルの反視認側に配置された配向膜の配向軸を基準とした際に、視認側から観察して反時計回りの、前記第２位相差板の延伸軸の軸角をθ３、第３位相差板の延伸軸の軸角をθ４、第２偏光板の偏光軸の軸角をθ５とした場合の前記θ３が２５〜７５°、前記θ４が１５５〜２０５°、前記θ５が１６０〜２１０°とされており、さらに、前記第２位相差板の位相差値（ΔｎＦ２・ｄＦ２）が１３０〜１５０ｎｍ、前記第３位相差板の位相差値（ΔｎＦ３・ｄＦ３）が５００〜６００ｎｍとされている点にある。
【００１１】
また、本発明の請求項２に記載の液晶表示装置の特徴は、請求項１に記載の液晶表示装置の前記第１位相差板が側鎖型液晶性高分子層からなる位相差板である点にある。
【００１２】
このような構成を採用することにより、本発明においては、視認側から入った光を利用した反射状態では若干円偏光からずれた楕円偏光に近い状態の黒表示とし、これに併せて、反視認側に配設されたバックライトから出射された光を利用した透過状態においても、適当に円偏光からずらされた楕円偏光状態とすることにより、良好な黒表示と白表示とを実現するようにしている。
【００１３】
【発明の実施の形態】
図１には、本発明の実施形態としての半透過反射型の液晶表示装置の積層構成を示す。
【００１４】
本実施形態の半透過反射型の液晶表示装置は液晶表示パネル１を有しており、その液晶表示パネル１の上方（視認側）には、前記フロント側部材として、視認側から順に、第１偏光板２、第１位相差板３および拡散層４が配置されており、前記液晶表示パネル１の下面（反視認側）には、前記リア側部材として、偏光光源６が配置されている。
【００１５】
ここで、前記液晶表示パネル１は、間隔を隔ててほぼ平行に配置された２枚のガラスのような材質からなる透明基板（図示せず）を有しており、これらの両透明基板の外周は周辺シール材（図示せず）により密閉されている。
【００１６】
このうち、上方に位置する一方の透明基板の下方には、透明共通電極（図示せず）が密着するように配設されており、また、この透明共通電極の下方には、電極間に印加される電圧に応じて液晶分子の配向を制御する配向膜（図示せず）が密着するように配設されている。
【００１７】
一方、下方に位置する他方の透明基板の上方には半透過反射膜７が配設されている。この半透過反射膜７は、例えばハーフミラー層や完全反射膜に部分的な開口部を設けた孔あけミラー層に形成されており、Ａｌ、Ａｌ合金、Ａｇ合金などの金属薄膜を有し、前記金属薄膜に屈折率の大きなＴｉＯ２及び屈折率の小さなＳｉＯ２などの薄膜を積層し、これら各膜の厚みを調整して、透過率や色が調整されている。なお、この半透過反射膜７の前記透過率は１０〜６０％が好ましい。
【００１８】
さらに、前記半透過反射層の上方にはカラーフィルタ層（図示せず）が配設されており、このカラーフィルタ層の上方には、透明セグメント電極（図示せず）が配設され、その上方に配向膜（図示せず）が密着するように配設されている。
【００１９】
そして、前記両透明基板は各配向膜を対向させて貼り合わされており、当該両透明基板と前記周辺シール材により囲繞された密閉空間部には、ツイスト角が２３０°〜２５０°、その位相差値（ΔｎＬＣ・ｄＬＣ）が８００〜９２０ｎｍ、好ましくは８２０〜９００ｎｍに設定された液晶が封入され、液晶層（図示せず）とされている。
【００２０】
なお、前記液晶表示パネル１の内部（例えば、下方に位置する前記透明基板と前記半透過反射膜７との間等）に微細な凹凸形状を表面に有する内部拡散層を配置する構成としてもよい。例えば、前記内部拡散層の微細な凹凸は、前記透明基板を構成するガラス基板をケミカルエッチングしたり、感光性樹脂の表面をフォトリソ法で粗面化する等の方法により得ることができる。
【００２１】
ここで、偏光板は光の振動方向を規制するためのものであり、位相差板は光が液晶層を通過するときに生じる干渉色を補償するためのものである。位相差板としては、例えば、液晶性高分子層からなる位相差板やポリカーボネートなどの透明フィルムを延伸して形成したものを用いることができる。
【００２２】
そして、本実施形態において、前記拡散層４は、前記第１位相差板３を前記液晶表示パネル１の上面に貼付する機能をも有していることが望ましい。例えば、粘着剤を使用して前記貼付する機能を付与する場合は、前記粘着剤中にその屈折率とは異なるものを分散させるとよい。また、前記拡散層４のヘイズ値は、３０〜８５％が好ましく、液晶表示パネル１の内部に反射指向性を制御した内部拡散層が配置されていない場合には前記拡散層４のヘイズ値は６０〜８５％、前記内部拡散層が配置されている場合には前記拡散層４のヘイズ値は３０〜６０％が好ましい。
【００２３】
また、本実施形態において、前記偏光光源６は、視認側から順に、第２位相差板８、第３位相差板９、第２偏光板１０およびバックライト１１が配置されており、バックライト１１の直線偏光を前記第２偏光板１０において楕円偏光に変換し、その楕円偏光を、透過表示時の光源として前記液晶表示パネル１を透過させ得るように構成されている。
【００２４】
次に、図２乃至図６を参照して、各光学系の軸配置について説明する。
【００２５】
図２の（ａ）は、前記第１偏光板２の偏光軸、（ｂ）は第１位相差板３の液晶性高分子層の視認側および反視認側の配向軸、（ｃ）は液晶表示パネル１の視認側および反視認側の配向膜の配向軸、（ｄ）は第２位相差板８の延伸軸、（ｅ）は第３位相差板９の延伸軸、そして、（ｆ）は第２偏光板１０の偏光軸を示している。
【００２６】
そして、本実施形態の液晶表示装置は、前記液晶表示パネル１の視認側に配置された配向膜の配向軸を基準とした際に、視認側から観察して反時計回りの、前記第１偏光板２の偏光軸の軸角をθ１、第１位相差板３の液晶性高分子層の反視認側の配向軸の軸角をθ２とした場合の、前記θ１が１４５〜１７５°、前記θ２が７５〜１０５°とされている（図３参照）。また、前記液晶表示パネル１の反視認側に配置された配向膜の配向軸を基準とした際に、視認側から観察して反時計回りの、前記第２位相差板８の延伸軸の軸角をθ３、第３位相差板９の延伸軸の軸角をθ４、第２偏光板１０の偏光軸の軸角をθ５とした場合の前記θ３が２５〜７５°、前記θ４が１５５〜２０５°、前記θ５が１６０〜２１０°とされている（図４参照）。
【００２７】
そして、前記第１位相差板３は、前記液晶表示パネル１のツイスト角方向とは逆ねじれで、液晶性高分子層からなるツイスト角が１７０〜１９０°、位相差値（ΔｎＦ１・ｄＦ１）が６９０〜７８０ｎｍ、好ましくは、７００〜７５０ｎｍとされている。さらに、前記第２位相差板８の位相差値（ΔｎＦ２・ｄＦ２）は１３０〜１５０ｎｍとされており、前記第３位相差板９の位相差値（ΔｎＦ３・ｄＦ３）は５００〜６００ｎｍ、好ましくは、５２０〜５８０ｎｍとされている。
【００２８】
なお、前記液晶性高分子層は、主鎖型液晶性高分子を含むもの（以下、主鎖型液晶性高分子層という。）と、側鎖型液晶性高分子を含むもの（以下、側鎖型液晶性高分子層という。）があり、主鎖型液晶性高分子層は位相差値の温度依存性がなく、側鎖型液晶性高分子層は位相差値の温度依存性がある。本実施形態においては、いずれの液晶性高分子層であっても使用可能であるが、特に、高温側での視認性が要求される場合には、位相差値の温度依存性のある側鎖型液晶性高分子層からなる位相差板を用いることが望ましい。
【００２９】
このように、軸角や位相差値を設定し、前記拡散層４を配置した液晶表示装置は、反射表示時及び透過表示時において明るく、良好なコントラスト比が得られ、反射表示時の視認性と透過表示時の視認性のよいものとなる。
【００３０】
以下に、前述した本実施形態の液晶表示装置の具体的な実施例を対応する比較例と比較して説明する。
【００３１】
［実施例１］
本実施例の液晶表示装置においては、前記液晶として、２４０°の左ツイスト角を有し、転移温度Ｔｃが１０５℃、位相差値ΔｎＬＣ・ｄＬＣが８４０ｎｍに設定されたＳＴＮ液晶を用い、前述のθ１〜θ５については、θ１＝１６０°、θ２＝９０°、θ３＝６２°、θ４＝１９２°、θ５＝１９４°とした。
【００３２】
第１位相差板３は１８０°の右ねじれで、位相差値（ΔｎＦ１・ｄＦ１）を７２０ｎｍとする位相差板（新日本石油社製ＬＣフィルム）を用い、第２位相差板８は位相差値（ΔｎＦ２・ｄＦ２）を１４０ｎｍ、第３位相差板９は位相差値（ΔｎＦ３・ｄＦ３）を５５０ｎｍとする位相差板を用いた。
【００３３】
また、前記半透過反射膜７の透過率は３０％、拡散層４のヘイズ値は８０％とした。
【００３４】
実施例１の液晶表示装置を、１／２４０Ｄｕｔｙの条件によって駆動させたところ、電圧オフ時には黒色表示、電圧オン時には白色表示のネガ表示を行なうことができた。
【００３５】
［比較例１］
本実施形態の比較例における半透過反射型の液晶表示装置は、液晶表示パネル１を有しており、図５に示すように、その液晶表示パネル１の上方（視認側）には、前記フロント側部材として、視認側から順に、第１偏光板２、第１位相差板３、および拡散層４が配置されており、前記液晶表示パネル１の反視認側には、前記リア側部材として、視認側から順に、第２位相差板８、第２偏光板１０およびバックライト１１からなる偏光光源６が配置されており、前記バックライト１１の直線偏光を前記第２偏光板１０において円偏光に変換し、その円偏光を、透過表示時の光源として前記液晶表示パネル１を透過させ得るように構成している。すなわち、前記実施例１の液晶表示装置から前記第３位相差板９を除去した構成とされている。なお、各部材の軸配置に関しては、前記実施形態と同様、つまり、前記実施例１と同様とされているので、説明を省略する（比較例２において同じ。）。
【００３６】
そして、比較例１の液晶表示装置においては、前記実施例１と略同様に、前記液晶として２４０°の左ツイスト角を有し、転移温度Ｔｃが１０５℃、位相差値ΔｎＬＣ・ｄＬＣが８４０ｎｍに設定されたＳＴＮ液晶を用い、前述のθ１〜θ３およびθ５については、θ１＝１６０°、θ２＝９０°、θ３＝４０°、θ５＝１７５°とした。
【００３７】
第１位相差板３は１８０°の右ねじれで、位相差値（ΔｎＦ１・ｄＦ１）を７２０ｎｍとする位相差板（新日本石油社製ＬＣフィルム）を用い、第２位相差板８は位相差値（ΔｎＦ２・ｄＦ２）を１４０ｎｍとする位相差板を用いた。
【００３８】
また、半透過反射層の透過率は３０％、拡散層４のヘイズ値は８０％とした。
【００３９】
比較例１の液晶表示装置を、１／２４０Ｄｕｔｙの条件によって駆動させたところ、電圧オフ時には黒色表示、電圧オン時には白色表示のネガ表示を行なうことができた。
【００４０】
［実施例１と比較例１の対比］
図６には、本実施形態の実施例および比較例の液晶表示装置における、２５℃、６０℃、７０℃、８０℃（比較例１および比較例２においては２５℃のみ）の透過時における正面方向のコントラスト比を示している。
【００４１】
この図６に示すように、２５℃の場合、前記実施例１の液晶表示装置のコントラスト比は２２．０であったのに対し、比較例１の液晶表示装置のコントラスト比は２１．０であり、コントラスト比に関しては略同等であった。
【００４２】
しかしながら、実施例１の液晶表示装置は比較例１の液晶表示装置に比べて、透過時における背景色の角度による色変化が小さくなって改善され、視野角も広くなり、上下左右のコントラスト比のバランスも改善されたものとなった。
【００４３】
［実施例２］
本実施例の液晶表示装置においては、前記液晶として、２４０°の左ツイスト角を有し、転移温度Ｔｃが１０５℃、位相差値ΔｎＬＣ・ｄＬＣが８４０ｎｍに設定されたＳＴＮ液晶を用い、前述のθ１〜θ５については、θ１＝１６０°、θ２＝８８°、θ３＝４２°、θ４＝１６８°、θ５＝１７４°とした。
【００４４】
第１位相差板３は１７８°の右ねじれで、転移温度Ｔｃが１０５℃、ガラス転移温度Ｔｇが２５℃、位相差値（ΔｎＦ１・ｄＦ１）を７１５ｎｍとする位相差板（ポラテクノ製Ｔｗｉｓｔｅｒ）を用いた。なお、位相差値（ΔｎＦ１・ｄＦ１）の温度依存性は８５℃／３０℃で０．８３である。
【００４５】
第２位相差板８は位相差値（ΔｎＦ２・ｄＦ２）を１４０ｎｍ、第３位相差板９は位相差値（ΔｎＦ３・ｄＦ３）を５５０ｎｍとする位相差板を用いた。
【００４６】
また、半透過反射層の透過率は３０％、拡散層４のヘイズ値は８３％とした。
【００４７】
実施例２の液晶表示装置を、１／２４０Ｄｕｔｙの条件によって駆動させたところ、電圧オフ時には黒色表示、電圧オン時には白色表示のネガ表示を行なうことができた。
【００４８】
［比較例２］
比較例２の液晶表示装置においては、前記実施例２と略同様に、前記液晶として２４０°の左ツイスト角を有し、転移温度Ｔｃが１０５℃、位相差値ΔｎＬＣ・ｄＬＣが８４０ｎｍに設定されたＳＴＮ液晶を用い、前述のθ１〜θ３およびθ５については、θ１＝１６０°、θ２＝８８°、θ３＝５０°、θ５＝１８５°とした。
【００４９】
第１位相差板３は１７８°の右ねじれで、転移温度Ｔｃが１０５℃、ガラス転移温度Ｔｇが２５℃、位相差値（ΔｎＦ１・ｄＦ１）を７１５ｎｍとする位相差板（ポラテクノ製Ｔｗｉｓｔｅｒ）を用いた。なお、位相差値（ΔｎＦ１・ｄＦ１）の温度依存性は８５℃／３０℃で０．８３である。
【００５０】
また、第２位相差板８は位相差値（ΔｎＦ２・ｄＦ２）を１４０ｎｍとする位相差板を用いた。
【００５１】
また、半透過反射層の透過率は３０％、拡散層４のヘイズ値は８０％とした。
【００５２】
比較例２の液晶表示装置を、１／２４０Ｄｕｔｙの条件によって駆動させたところ、電圧オフ時には黒色表示、電圧オン時には白色表示のネガ表示を行なうことができた。
【００５３】
［実施例２と比較例２の対比］
図６に示すように、２５℃の場合、前記実施例２の液晶表示装置のコントラスト比は２３．０であったのに対し、比較例２の液晶表示装置のコントラスト比は２２．５であり、コントラスト比に関しては略同等であった。
【００５４】
しかしながら、実施例２の液晶表示装置は比較例２の液晶表示装置に比べて、透過時における背景色の角度による色変化が小さくなって改善され、視野角も広くなり、上下左右のコントラスト比のバランスも改善されたものとなった（図７および図８参照）。
【００５５】
なお、図７には、透過表示時における、前記実施例２の液晶表示装置のコントラストの視野角依存性と反転領域（図中、網掛け部分）を示し、図８には、同じく透過表示時における、前記比較例２の液晶表示装置のコントラストの視野角依存性と反転領域（図中、網掛け部分）を示す。ここで、ネガ表示を行う本実施例及び比較例において、反転とは、電圧ＯＮ時においても黒色表示となることを意味する。また、図７及び図８中、同心円とされ、１０°間隔で０〜５０°まで示された円状のラインは、液晶表示装置の表示面の法線からの傾き角（θ）を示しており、同図の中心点から放射線状に延在し、同図を１２分割するラインは、液晶表示装置の表示面の３時方向を０°と仮定した場合における反時計回りの角度（φ）を示している。
【００５６】
［実施例１と実施例２の対比］
実施例２の液晶表示装置においては、第１位相差板３として、側鎖型液晶性高分子層からなる位相差板を用いているので、図６に示すように、第１実施例の液晶表示装置と比較して、高温側においても良好な視認性が得られるものとなった。
例えば、前記コントラスト比は、２５℃の場合、実施例１の液晶表示装置においては２２．０であったのに対し、実施例２の液晶表示装置においては２３．０と略同等であった。それが、６０℃の場合には、実施例１の液晶表示装置においては４．１であったのに対し、実施例２の液晶表示装置においては９．３となり、さらに、８０℃の場合には、実施例１の液晶表示装置においては１．８であったのに対し、実施例２の液晶表示装置においては５．１となっており、側鎖型液晶性高分子層からなる位相差板を用いた液晶表示装置は、高温側において良好な視認性を得ることができることが証明された。
【００５７】
このように、本実施形態の液晶表示装置においては、反射表示時および透過表示時の双方において、良好なコントラスト比が得られ、反射表示時の視認性と透過表示時の視認性のバランスを良くすることができ、特に、表示面の上下方向において広視野角化が得られ、良好な視認性が得られるものとなった。
【００５８】
なお、本発明は、前述した実施形態および実施例に限定されるものではなく、必要に応じて種々の変更が可能である。
【００５９】
例えば、前記実施例においては、ツイスト角を２４０°とする液晶を用いたが、前記２４０°に限ることなく、いわゆるスーパーツイストの範疇に収まる２３０〜２５０°のツイスト角を有する液晶であればよい。また、液晶層を左ツイストとして説明しているが、右ツイストであってもよく、液晶層が右ツイストの場合には、各軸角θ１〜θ５を時計回りとすればよい。
【００６０】
【発明の効果】
以上説明したように、本発明によれば、反射表示時および透過表示時の双方において、明るく、良好なコントラスト比が得られ、反射表示時と透過表示時の視認性のバランスも良い液晶表示装置となり、特に、上下左右方向の広角視野化が要求される携帯電話やＰＤＡ等の表示装置として最適なものとなるという効果を奏する。
【図面の簡単な説明】
【図１】本実施形態の液晶表示装置の積層構成を示す縦分解断面図
【図２】本実施形態の液晶表示装置の（ａ）第１偏光板の偏光軸、（ｂ）第１位相差板の液晶性高分子層の視認側および反視認側の配向軸、（ｃ）液晶表示パネルの視認側および反視認側の配向膜の配向軸、（ｄ）第２位相差板の延伸軸、（ｅ）第３位相差板の延伸軸、（ｆ）第２偏光板の偏光軸を示す図
【図３】本実施形態の液晶表示装置を構成する液晶表示パネルの視認側に配置される配向膜の配向軸を基準として求められるθ１およびθ２の説明図
【図４】本実施形態の液晶表示装置を構成する液晶表示パネルの反視認側に配置される配向膜の配向軸を基準として求められるθ３乃至θ５の説明図
【図５】比較例における液晶表示装置の積層構成を示す縦分解断面図
【図６】透過表示時における各実施例および比較例の液晶表示装置のコントラスト比を示す図表
【図７】透過表示時における、実施例２の液晶表示装置のコントラストの視野角依存性と反転領域を示す図
【図８】透過表示時における、実施例２の液晶表示装置のコントラストの視野角依存性と反転領域を示す図
【符号の説明】
１  液晶表示パネル
２  第１偏光板
３  第１位相差板
４  拡散層
６  偏光光源
７  半透過反射膜
８  第２位相差板
９  第３位相差板
１０  第２偏光板
１１  バックライト
【図１】
2005024738.tif 000003
【図２】
2005024738.tif 000004
【図３】
2005024738.tif 000005
【図４】
2005024738.tif 000006
【図５】
2005024738.tif 000007
【図６】
2005024738.tif 000008
【図７】
2005024738.tif 000009
【図８】
2005024738.tif 000010